(57)【要約】      （修正有）【課題】電子部品の実装用の絶縁膜を形成することによる電気機械変換器の対向基板の反りの発生と、それによる性能の低下を防ぐ。【解決手段】帯電部と対向電極との間の静電的な相互作用を利用して電力と動力の間の変換を行う電気機械変換器２は、回転軸２０の周りに回転する回転部材４０と、回転部材４０に対向して配置された対向基板３０と、回転部材２０の対向基板３０との対向面に、回転部材２０の回転方向に互いに間隔を空けて配置された帯電部４１と、対向基板３０の回転部材２０との対向面において、回転部材２０の回転領域に対向して配置された対向電極３１，３２と、対向基板３０の対向面とは反対側である反対面３０ａに形成された絶縁膜３４とを有し、絶縁膜３４は、回転部材２０の回転領域に平面視で重ならない周辺領域に形成され、反対面の全面には形成されていない。【選択図】図３
2020106413.tif 000002
【特許請求の範囲】
【請求項１】
帯電部と対向電極との間の静電的な相互作用を利用して電力と動力の間の変換を行う電気機械変換器であって、
回転軸の周りに回転する回転部材と、
前記回転部材に対向して配置された対向基板と、
前記回転部材の前記対向基板との対向面に、前記回転部材の回転方向に互いに間隔を空けて配置された帯電部と、
前記対向基板の前記回転部材との対向面において、前記回転部材の回転領域に対向して配置された対向電極と、
前記対向基板の前記対向面とは反対側である反対面に形成された絶縁膜と、を有し、
前記絶縁膜は、前記回転部材の回転領域に平面視で重ならない周辺領域に形成され、前記反対面の全面には形成されていない、
ことを特徴とする電気機械変換器。
【請求項２】
前記対向基板は、電力と動力の間の変換に用いられる電子部品を有し、
前記電子部品は、前記反対面の前記周辺領域に配置されている、請求項１に記載の電気機械変換器。
【請求項３】
前記対向基板は、外部から働く力により前記回転部材を回転させたときに前記帯電部と前記対向電極との間の静電誘導により発生する交流電流を整流する整流回路を有し、
前記電子部品は、前記整流回路を構成するダイオードである、請求項２に記載の電気機械変換器。
【請求項４】
帯電部と対向電極との間の静電的な相互作用を利用して電力と動力の間の変換を行う電気機械変換器であって、
回転軸の周りに回転する回転部材と、
前記回転部材に対向して配置された対向基板と、
前記回転部材の前記対向基板との対向面に、前記回転部材の回転方向に互いに間隔を空けて配置された帯電部と、
前記対向基板の前記回転部材との対向面において、前記回転部材の回転領域に対向して配置された対向電極と、
前記対向基板の前記対向面とは反対側である反対面に配置された、電力と動力の間の変換に用いられる電子部品と、を有し、
前記電子部品は、前記回転部材の回転領域に平面視で重ならない周辺領域に配置されている、
ことを特徴とする電気機械変換器。
【請求項５】
請求項２〜４のいずれか一項に記載の電気機械変換器を有する電子時計であって、
重量バランスに偏りがあり、外部から働く力により駆動されて回転する回転錘と、
前記回転錘の回転により得られる動力を用いて前記回転部材を回転させたときに前記帯電部と前記対向電極との間の静電誘導により発生する電力を蓄積するための回路部品を含む回路基板と、をさらに有し、
蓄積された前記電力を用いて時刻を計時し、
前記対向基板と前記回路基板とは、前記電子時計の厚さ方向に重ねて配置され、
前記電子部品と前記回路部品とは、前記対向基板と前記回路基板の平面方向にずれて配置されている、
ことを特徴とする電子時計。
【発明の詳細な説明】
【技術分野】
【０００１】
本発明は、電気機械変換器および電子時計に関する。
【背景技術】
【０００２】
相対移動する帯電部と対向電極との間の静電誘導により発電する発電器や、帯電部と対向電極との間で発生する静電気力により駆動力を得るモータなどの電気機械変換器が知られている。
【０００３】
例えば、特許文献１には、平板状の基板と、基板の平面に対面して回転する回転部材と、回転部材により回転駆動される時刻指示用の指針と、回転部材にその回転中心部から放射状に形成された放射部を備えた第１電極と、第１電極の放射部と対向するように平板状の基板に形成された放射部を備えた第２電極と、第１電極と第２電極との一方に設けられた電荷保持体とを備える時計用発電装置が記載されている。
【０００４】
特許文献２には、ハウジングと、ハウジングに固定された第１基板と、ハウジングに回転自在に軸支された軸を有する円板状の第２基板と、帯電膜と、対向電極と、帯電膜および対向電極間で発生した電力を出力する出力部とを有する静電誘導型発電器が記載されている。この発電器では、対向電極は第１基板の第１対向面に設置され、帯電膜は第１対向面に対向する第２基板の第２対向面に設置され、第２基板の第２対向面には、所定角度毎に、帯電膜と、帯電膜が設置されていない間隔部とが交互に配置され、第１基板、帯電膜、第２基板、対向電極および出力部からなる１組の発電部が複数組設置されている。
【先行技術文献】
【特許文献】
【０００５】
【特許文献１】特開２０１０−２８６４２８号公報
【特許文献２】特開２０１７−０６９９９９号公報
【発明の概要】
【発明が解決しようとする課題】
【０００６】
小型の電気機械変換器を実現するには、電力と動力の間の変換に用いられる電子部品（回路部品）を、帯電部に対向する対向電極の基板（対向基板）に配置することが望ましい。そのためには、絶縁性の被覆膜（絶縁膜）を塗布などにより対向基板に形成する必要があるが、絶縁膜は、対向基板上で対向電極がある側の面には塗布できないので、対向電極とは反対側の片面のみに形成される。この場合、絶縁膜は塗布後に乾燥すると収縮するため、対向基板に反りが生じやすくなる。静電的な相互作用を利用する電気機械変換器では、帯電部と対向電極が配置される回転部材と対向基板とを近接させてその隙間を高精度に調整する必要があり、対向基板の反りによって回転部材との隙間が設計値からずれると、性能の低下を招くことになる。
【０００７】
そこで、本発明は、電子部品の実装用の絶縁膜を形成することによる電気機械変換器の対向基板の反りの発生と、それによる性能の低下を防ぐことを目的とする。
【課題を解決するための手段】
【０００８】
帯電部と対向電極との間の静電的な相互作用を利用して電力と動力の間の変換を行う電気機械変換器であって、回転軸の周りに回転する回転部材と、回転部材に対向して配置された対向基板と、回転部材の対向基板との対向面に、回転部材の回転方向に互いに間隔を空けて配置された帯電部と、対向基板の回転部材との対向面において、回転部材の回転領域に対向して配置された対向電極と、対向基板の対向面とは反対側である反対面に形成された絶縁膜とを有し、絶縁膜は、回転部材の回転領域に平面視で重ならない周辺領域に形成され、反対面の全面には形成されていないことを特徴とする電気機械変換器が提供される。
【０００９】
対向基板は、電力と動力の間の変換に用いられる電子部品を有し、電子部品は、反対面の周辺領域に配置されていることが好ましい。
【００１０】
対向基板は、外部から働く力により回転部材を回転させたときに帯電部と対向電極との間の静電誘導により発生する交流電流を整流する整流回路を有し、電子部品は、整流回路を構成するダイオードであることが好ましい。
【００１１】
帯電部と対向電極との間の静電的な相互作用を利用して電力と動力の間の変換を行う電気機械変換器であって、回転軸の周りに回転する回転部材と、回転部材に対向して配置された対向基板と、回転部材の対向基板との対向面に、回転部材の回転方向に互いに間隔を空けて配置された帯電部と、対向基板の回転部材との対向面において、回転部材の回転領域に対向して配置された対向電極と、対向基板の対向面とは反対側である反対面に配置された、電力と動力の間の変換に用いられる電子部品とを有し、電子部品は、回転部材の回転領域に平面視で重ならない周辺領域に配置されていることを特徴とする電気機械変換器が提供される。
【００１２】
上記のいずれかの電気機械変換器を有する電子時計であって、重量バランスに偏りがあり、外部から働く力により駆動されて回転する回転錘と、回転錘の回転により得られる動力を用いて回転部材を回転させたときに帯電部と対向電極との間の静電誘導により発生する電力を蓄積するための回路部品を含む回路基板とをさらに有し、蓄積された電力を用いて時刻を計時し、対向基板と回路基板とは、電子時計の厚さ方向に重ねて配置され、電子部品と回路部品とは、対向基板と回路基板の平面方向にずれて配置されていることを特徴とする電子時計が提供される。
【発明の効果】
【００１３】
上記の電気機械変換器およびそれを有する電子時計では、電子部品の実装用の絶縁膜を形成することによる対向基板の反りが発生しにくく、それによる性能の低下も起こりにくい。
【図面の簡単な説明】
【００１４】
【図１】電子時計１の内部構造を示す断面図である。
【図２】電子時計１の内部構造を示す破断斜視図である。
【図３】静電発電器２の分解斜視図である。
【図４】静電発電器２の回路構成の例を示す模式図である。
【図５】上側基板３０の上面３０ａおよび下面３０ｂの一部を示す平面図である。
【図６】回路基板１４と上側基板３０の一部を示す側面図である。
【図７】静電モータ３の回路構成の例を示す模式図である。
【発明を実施するための形態】
【００１５】
以下、図面を参照しつつ、電気機械変換器および電子時計について説明する。ただし、本発明は図面または以下に記載される実施形態には限定されないことを理解されたい。
【００１６】
図１および図２は、電子時計１の内部構造を示す断面図および破断斜視図である。電子時計１は、裏蓋と文字板の間に、回転錘１１、受け板１２、支持台１３、回路基板１４、支持台１５、静電発電器２および地板１６を、厚さ方向にこの順に有する。電子時計１の主な構成要素のうち、裏蓋、外装ケース、文字板、指針および風防ガラスは以下の説明に必要ないため図示を省略し、図１および図２では、これらが取り除かれた電子時計１を示している。各図の上側は裏蓋側に、下側は文字板側に相当する。
【００１７】
静電発電器２は、回転錘１１の回転エネルギーを用いて静電誘導により静電気を発生させることで動力から電力を取り出す発電装置であり、静電的な相互作用を利用して電力と動力の間の変換（静電変換）を行う電気機械変換器の一例である。回転錘１１は、円板形状を有する電子時計１の平面の半分程度を覆う略半円形の板材であり、電子時計１の中央に設けられた回転軸１１Ｃに固定され、電子時計１の円形領域の略全体を回転領域とする。回転錘１１は、重心が回転軸１１Ｃよりも外周側にずれていることで重量バランスに偏りを有し、例えば電子時計１を携帯する使用者が体を動かすことで生じる振動を動力源として、回転軸１１Ｃの周りに時計回りまたは反時計回りに回転する。受け板１２は回転錘１１を、支持台１３は受け板１２をそれぞれ支持するための部材である。
【００１８】
回路基板１４は、回転錘１１の回転により静電発電器２で発生する電力を蓄積したり、指針駆動用の図示しないモータを駆動したりするための回路を有する。支持台１５は、回路基板１４を支持するための部材である。回路基板１４、指針を駆動するモータおよび輪列、ならびに回路基板１４およびモータに電力を供給する電池などにより、電子時計１のムーブメント（時計機構の本体部分）が構成される。電子時計１は、静電発電器２で発生した電力を用いて時刻を計時するとともに、指針を回転させて時刻を表示する。
【００１９】
図３は、静電発電器２の分解斜視図である。静電発電器２は、回転軸２０、スペーサ２５、上側基板３０、ロータ４０および下側基板５０を有する。
【００２０】
回転軸２０は、ロータ４０の回転中心となる軸であり、上側基板３０と下側基板５０を貫通し、受け板１２と地板１６に設けられた軸受２１で軸支されている。回転軸２０には、回路基板１４と上側基板３０の間にカナ２２が設けられており、カナ２２は歯車２３に連結している。歯車２３は、図示しない歯車列を介して回転錘１１の回転軸１１Ｃに連結されている。
【００２１】
スペーサ２５は、ロータ４０の周囲を取り囲みかつロータ４０の回転領域を除いて上側基板３０と下側基板５０の間を埋め尽くすように成形された樹脂製の部材である。スペーサ２５は、静電発電器２の側方からスペーサ２５を通してロータ４０の位置を目視で確認できる程度の透光性を有することが好ましく、透明であることがより好ましい。スペーサ２５には、上側基板３０と下側基板５０との隙間が小さくなり過ぎるのを防いでその隙間を一定に保つ効果と、ロータ４０の回転領域に外部からゴミが混入することを防ぐ効果もある。
【００２２】
上側基板３０は、対向基板の一例であり、例えばガラスエポキシ基板などの周知の基板材料で構成され、支持台１５と地板１６の間における支持台１５側に配置されている。ロータ４０との対向面である上側基板３０の下面３０ｂ（図５（Ｂ）を参照）には、ロータ４０と平面視で重なる円形領域内に、対向電極３１，３２が形成されている。図３では上側基板３０の上面３０ａを示しているが、対向電極３１，３２は上側基板３０の下面３０ｂに形成されているため、図３では破線で示している。対向電極３１，３２は、それぞれ略台形の同じ形状および大きさを有し、回転軸２０が通る貫通孔３０ｃを中心として、円周方向に交互かつ放射状に配置されている。
【００２３】
ロータ４０は、回転部材の一例であり、例えばアルミニウムもしくはその合金などの金属か、ガラスまたはシリコンなどの材料で構成された略円板状の部材であり、上側基板３０と下側基板５０の間に配置されている。ロータ４０は、その中心が回転軸２０に固定されており、回転軸２０とともに時計回りまたは反時計回りに回転する。軽量化のために、図３に示すように、ロータ４０には、その中心付近から放射状に広がる略台形の溝部４２が円周方向に等間隔に形成されている。同じ円周上では、溝部４２と溝部４２でない部分とは、互いに同じ幅を有する。
【００２４】
ロータ４０の上面および下面における溝部４２同士の間の表面には、帯電部４１が形成されている。溝部４２があることで、帯電部４１は、上側基板３０および下側基板５０との対向面であるロータ４０の上面および下面において、円周方向に互いに間隔を空けて配置されている。帯電部４１は、エレクトレット材料で構成された薄膜であり、静電荷を保持し、すべて同一の極性（例えば負）に帯電している。このエレクトレット材料としては、例えば、ＣＹＴＯＰ（登録商標）などの樹脂材料、ポリプロピレン（ＰＰ）、ポリエチレンテレフタレート（ＰＥＴ）、ポリビニルクロライド（ＰＶＣ）、ポリスチレン（ＰＳ）、ポリテトラフルオロエチレン（ＰＴＦＥ）、ポリビニルデンジフルオライド（ＰＶＤＦ）もしくはポリビニルフルオライド（ＰＶＦ）などの高分子材料、またはシリコン酸化物（ＳｉＯ２）もしくはシリコン窒化物（ＳｉＮ）などの無機材料が用いられる。
【００２５】
帯電部４１は、ロータ４０の上面および下面における溝部４２同士の間の表面のみに形成されていてもよいし、溝部４２よりも中心側の円環部分を含むロータ４０全面に形成されていてもよい。
【００２６】
なお、ロータ４０は、図３では、帯電部４１の最外周部同士が円周方向に互いに連結されることで車輪のような形状を有しているのに対し、図２では、この連結部分がなく溝部の外周部分が開放されることで花弁のような形状を有している。このように、ロータ４０の形状は、２つの図の間で一致していないが、図２の花弁型と図３の車輪型のどちらでもよく、これらの差異は以下で説明する内容には影響しない。
【００２７】
下側基板５０は、上側基板３０と同様に周知の基板材料で構成され、支持台１５と地板１６の間における地板１６側に配置されている。ロータ４０との対向面である下側基板５０の上面５０ａには、ロータ４０と平面視で重なる円形領域内に、対向電極５１，５２が形成されている。対向電極５１，５２は、それぞれ略台形の同じ形状および大きさを有し、回転軸２０が通る貫通孔を中心として、円周方向に交互かつ放射状に配置されている。
【００２８】
図４は、静電発電器２の回路構成の例を示す模式図である。静電発電器２は上側基板３０の上面３０ａに整流回路Ｃ１を有し、図４では、上側基板３０の下面３０ｂの対向電極３１，３２、下側基板５０の上面５０ａの対向電極５１，５２、および整流回路Ｃ１を示している。対向電極３１，３２は上側基板３０上で整流回路Ｃ１に電気的に接続され、対向電極５１，５２も、下側基板５０と上側基板３０とを接続する図示しないばねを介して、整流回路Ｃ１に電気的に接続されている。整流回路Ｃ１は、計８個のダイオード３３を有するブリッジ式の回路であり、ダイオード３３は、発電用の回路部品（電力と動力の間の変換に用いられる電子部品）の一例である。
【００２９】
外部から働く力により回転錘１１が回転すると、図示しない歯車列を介して歯車２３およびカナ２２が回転する。すると、回転軸２０とともにロータ４０が回転し、それに伴い、帯電部４１と対向電極３１，３２，５１，５２との重なり面積が増減する。例えば帯電部４１に負電荷が保持されているとすると、ロータ４０の回転に伴い、対向電極３１，３２，５１，５２に引き寄せられる正電荷が増減する。こうして、静電誘導により対向電極３１，５１と対向電極３２，５２との間に交流電流が発生し、その交流電流は整流回路Ｃ１で整流されて回路基板１４に出力される。これにより、電子時計１内の充放電可能な電池が充電される。
【００３０】
図５（Ａ）および図５（Ｂ）は、それぞれ、上側基板３０の上面３０ａおよび下面３０ｂの一部を示す平面図である。図５（Ａ）では上側基板３０に隠れて図示されていないが、図５（Ａ）に示す上面３０ａの裏側に、下面３０ｂの対向電極３１，３２とその下のロータ４０が配置されている。図５（Ａ）における破線の内側の円形領域は、下面３０ｂ上で対向電極３１，３２が配置されている領域およびロータ４０の回転領域の直上に相当する。以下では、この円形領域のことを回転領域Ｒ１という。また、上面３０ａにおける回転領域Ｒ１の外側全体を周辺領域Ｒ２という。周辺領域Ｒ２は、上側基板３０の端部であり、対向電極３１，３２の配置領域およびロータ４０の回転領域に平面視で重ならない領域である。
【００３１】
図４の整流回路Ｃ１を構成する８個のダイオード３３は、上面３０ａの周辺領域Ｒ２のみに集約して配置され、上面３０ａに半田で実装されている。すなわち、静電発電器２では、ダイオード３３は、ロータ４０の回転領域および対向電極３１，３２と平面的に重ならない位置に配置されている。こうした電子部品をロータ４０との対向面である下面３０ｂに配置するのはスペースの点で困難であり、上面３０ａ上でも回転領域Ｒ１内に配置すると、対向電極３１，３２での電位の誘導が阻害される恐れがあるため好ましくない。一部の電子部品は回転領域Ｒ１内に配置されていてもよいが、静電誘導への悪影響を避け、発電性能を高めるためには、上面３０ａ上のすべての電子部品を対向電極３１，３２から遠い周辺領域Ｒ２内に配置することが好ましい。また、整流回路Ｃ１の先に接続される図示しないコンデンサも、周辺領域Ｒ２内に配置することが好ましい。
【００３２】
上側基板３０では、上面３０ａの周辺領域Ｒ２におけるダイオード３３の周辺の一部分に、半田流れを防止するための樹脂製の絶縁コート３４（レジストまたは絶縁膜）が塗布されている。位置関係を分かりやすくするために、図５（Ｂ）でも、上面３０ａ側のダイオード３３および絶縁コート３４の位置を破線で示している。絶縁コート３４は上面３０ａのみに塗布されるので、その全面に塗布されると、乾燥時の収縮により上側基板３０の上反りが大きくなって、静電発電器２の性能が低下する恐れがある。このため、絶縁コート３４は、（一部が回転領域Ｒ１内に跨っていてもよいが）大部分または全部が周辺領域Ｒ２内に形成され、上面３０ａの全面には形成されていない。このように、絶縁コート３４の塗布面積を最小限にすることで、上側基板３０の反りが少なくなり、対向電極３１，３２がロータ４０に平行になるため、発電性能の低下を防ぐことができる。
【００３３】
図示した形態とは異なり、整流回路Ｃ１を（すなわちダイオード３３を）下側基板５０に配置してもよい。この場合、８個のダイオード３３を、下側基板５０の下面（対向電極５１，５２とは反対側の面）における、対向電極５１，５２の配置領域およびロータ４０の回転領域に平面視で重ならない周辺領域に配置することが好ましい。この場合、絶縁コートは、下側基板５０の下面上の周辺領域におけるダイオード３３の周辺の一部分に形成される。あるいは、整流回路Ｃ１を上側基板３０と下側基板５０の両方に配置してもよい。この場合、４個のダイオード３３を上側基板３０の上面３０ａの周辺領域Ｒ２に、残り４個のダイオード３３を下側基板５０の下面上の周辺領域に、分けて配置すればよい。
【００３４】
図６は、回路基板１４と上側基板３０の一部を示す側面図である。回路基板１４と上側基板３０とは、電子時計１の内部でその厚さ方向に重ねて配置されており、図６に示すように、回路基板１４上の回路部品１４Ｃと上側基板３０上のダイオード３３とは、回路基板１４および上側基板３０の平面方向にずれて配置されている。ダイオード３３がある周辺領域Ｒ２は上側基板３０の端部であるため、回路部品１４Ｃは、回路基板１４上で、周辺領域Ｒ２の直上よりも電子時計１の中心側に配置されている。回路部品１４Ｃは、例えば、指針駆動用の回路を構成するコンデンサなどの部品である。回路基板１４の回路部品１４Ｃと上側基板３０の電子部品とを電子時計１の平面方向にずらす（平面視で重ねない）ことにより、両者の部品を厚さ方向に１直線上に並べた場合と比べて、図６に矢印ｄで示す分だけ電子時計１の厚さを薄くすることができる。
【００３５】
図７は、静電モータ３の回路構成の例を示す模式図である。静電モータ３は、整流回路Ｃ１が駆動回路Ｃ２に置き換えられている点が静電発電器２とは異なり、静電発電器２のものと同じ回転軸２０、上側基板３０、ロータ４０および下側基板５０を有する。図７では、上側基板３０の下面３０ｂの対向電極３１，３２、下側基板５０の上面５０ａの対向電極５１，５２、および駆動回路Ｃ２を示している。静電モータ３は、駆動回路Ｃ２に入力された電気信号に応じて発生する静電気力を利用してロータ４０を回転させることで電力から動力を取り出す駆動装置であり、電気機械変換器の一例である。電子時計１は、静電発電器２に替えて、または静電発電器２に加えて、静電モータ３を有してもよい。
【００３６】
駆動回路Ｃ２は、ロータ４０を駆動するための回路であり、クロックＣＬＫおよび２個の比較器３５を有する。図７に示すように、クロックＣＬＫの出力は２個の比較器３５の入力に接続され、一方の比較器３５の出力は対向電極３１，５１に、他方の比較器３５の出力は対向電極３２，５２に、それぞれ電気的に接続されている。２個の比較器３５は、それぞれクロックＣＬＫからの入力信号の電位と接地電位とを比較し、互いに逆符号の信号を２値で出力する。クロックＣＬＫからの入力信号がＨのときには、対向電極３１，５１は＋Ｖ、対向電極３２，５２は−Ｖの電位になり、入力信号がＬのときには、対向電極３１，５１は−Ｖ、対向電極３２，５２は＋Ｖの電位になる。
【００３７】
駆動回路Ｃ２は、対向電極３１，５１には帯電部４１の静電荷と同じ符号の電圧を印加し、対向電極３２，５２には帯電部４１の静電荷とは異なる符号の電圧を印加して、それらの電圧の符号を交互に反転させる。すると、帯電部４１が作る電界と対向電極３１，３２，５１，５２が作る電界との相互作用により、帯電部４１と対向電極３１，３２，５１，５２との間に引力または斥力が発生する。駆動回路Ｃ２は、極性が交互に切り替わる電圧を対向電極３１，３２，５１，５２に印加することで、帯電部４１と対向電極３１，３２，５１，５２の間で発生する静電気力によりロータ４０を回転させる。これにより、回転軸２０、カナ２２および歯車２３が回転するので、図示しない歯車列を介して電子時計１の指針を駆動することができる。
【００３８】
静電モータ３では、比較器３５がモータ用の回路部品（電力と動力の間の変換に用いられる電子部品）の一例である。静電モータ３は、静電発電器２と同様に、例えば上側基板３０の上面３０ａに駆動回路Ｃ２を有する。上面３０ａでは、図５（Ａ）の周辺領域Ｒ２に２個の比較器３５が配置され、周辺領域Ｒ２におけるそれらの周辺の一部分に絶縁コートが形成される。これにより、駆動回路Ｃ２の電子部品による帯電部４１と対向電極３１，３２の間の静電的な相互作用への影響や、絶縁コートに起因する上側基板３０の反りによる静電モータ３の性能低下を避けることができる。
【符号の説明】
【００３９】
１    電子時計
２    静電発電器
３    静電モータ
１１    回転錘
１４    回路基板
１４Ｃ    回路部品
２０    回転軸
３０    上側基板
３１，３２，５１，５２    対向電極
３３    ダイオード
３４    絶縁コート
４０    ロータ
４１    帯電部
５０    下側基板
【図１】
2020106413.tif 000003
【図２】
2020106413.tif 000004
【図３】
2020106413.tif 000005
【図４】
2020106413.tif 000006
【図５】
2020106413.tif 000007
【図６】
2020106413.tif 000008
【図７】
2020106413.tif 000009